(57)【要約】      （修正有）【課題】糊付けによる製造工程の煩雑化を解消しつつ補助底面板による補強効果を有効に担保することができる表示物支持台を提供する。【解決手段】表示物支持台２は、前後に対をなす起立板３、４と、一方の起立板３の下縁に折り罫を介して一体に設けられた補助底面板５と、他方の起立板４の下縁に折り罫を介して一体に設けられ補助底面板５の下面側に重なり合うように折り返され先端に設けた差し込みパーツを補助底面板５の基端付近に設けた差し込み孔に係わり合わせた底面板６とを具備する。補助底面板５の中央付近に設けられた中央差し込み孔に、底面板６の中央付近に設けられた中央差し込みパーツを係わり合わせてなる。【選択図】図１
0003178245.tif 000002
【実用新案登録請求の範囲】
【請求項１】
一枚の紙製シート素材を折り曲げて所定の箇所で係わり合わせることにより構成される表示物支持台であって、
上縁側が連接されている前後に対をなす起立板と、
一方の起立板の下縁に折り罫を介して一体に設けられ前記折り罫を山折りすることにより他方の起立板側に折り返された補助底面板と、
前記他方の起立板の下縁に折り罫を介して一体に設けられ前記折り罫を山折りすることにより前記補助底面板の下面側に重なり合うように折り返され先端に設けた差し込みパーツを前記補助底面板の基端付近に設けた差し込み孔に係わり合わせた底面板とを具備してなり、
前記補助底面板及び底面板の何れか一方の中央付近に設けられた中央差し込み孔に、他方の中央付近に設けられた中央差し込みパーツを係わり合わせてなることを特徴とする表示物支持台。
【請求項２】
前記底面板が、前後方向中央に前記起立板の下縁と平行な折り畳み用の折り罫を境にして基端側領域と先端側領域とに区成されたものであり、
前記中央差し込みパーツが前記折り畳み用の折り罫に基端を合致させて前記基端側領域から切り起こされたものである請求項１記載の表示物支持台。
【請求項３】
前記補助底面板が、前記底面板の先端に設けた差し込みパーツを前記補助底面板の基端付近に設けた差し込み孔に係わり合わせた状態でその先端が前記底面板と前記他方の起立板との間に形成される入隅に当接するような前後方向寸法に設定され、その前後方向中央に前記中央差し込み孔を設けてなるものであり、
前記底面板が、前記差し込みパーツの基端に合致する前記折り畳み用の折り罫を前後方向中央よりも若干基端寄りに設けてなるものである請求項２記載の表示物支持台。
【請求項４】
前記折り畳み用の折り罫が、無理のない谷折りを可能にするためのカット部を備えている請求項２又は３記載の表示物支持台。
【請求項５】
前記一枚の紙製シート素材の紙目の方向が、前記折り罫に対し垂直となるように設定されている請求項１、２、３又は４記載の表示物支持台。
【請求項６】
前記一対の起立板が、その上縁部にカレンダー用紙を取り付けるための取付部を備えたものである請求項１、２、３、４又は５記載の表示物支持台。
【考案の詳細な説明】
【技術分野】
【０００１】
本考案は、カレンダー等の表示物を支持するための表示物支持台に関するものである。
【背景技術】
【０００２】
従来、一枚の紙製シート素材を折り曲げや糊付けすることにより形成され、カレンダー等の表示物を支持するための表示物支持台が提案されている。このような表示物支持台のうち、例えば卓上に安定して載置することができるよう、２枚の底面板を糊付けにより補強しているものも提案されている（例えば、非特許文献１参照）。
【０００３】
そして、製造工程を簡素化するために糊付けを行う工程を省くべく、一枚の紙製シート素材に糊付けを行わずに折り曲げと差し込みパーツを用いたものにおいて、底面板を補強するために底面板の上面側に補助底面板を重ね合わせた構造のものも考えられている。具体的に説明すると、一枚の紙製シート素材を折り曲げて所定の箇所で係わり合わせることにより構成される表示物支持台であって、上縁側が連接されている前後に対をなす起立板と、一方の起立板の下縁に折り罫を介して一体に設けられ前記折り罫を山折りすることにより他方の起立板側に折り返された補助底面板と、前記他方の起立板の下縁に折り罫を介して一体に設けられ前記折り罫を山折りすることにより前記補助底面板の下面側に重なり合うように折り返され先端に設けた差し込みパーツを補助底面板の基端付近に設けた差し込み孔に係わり合わせた底面板とを具備してなるものである。
【０００４】
しかしながら、上記のものにおいては、起立板が外方に膨らむように撓んだ場合に補助底面板の先端側が底面板から浮き上がってしまい、補助底面板の補強効果が失われてしまうという不具合が予想される。
【先行技術文献】
【特許文献】
【０００５】
【非特許文献１】"カレンダー販売の良い暦ｙａｈｏｏ！店"、［ｏｎｌｉｎｅ］、［平成２４年５月２４日検索］、インターネット＜URL:http://store.shopping.yahoo.co.jp/e-reki/nk12-541.html＞
【考案の概要】
【考案が解決しようとする課題】
【０００６】
本考案は、上述したような不具合に着目してなされたものであって、主たる目的は、糊付けによる製造工程の煩雑化を解消しつつ補助底面板による補強効果を有効に担保することができる表示物支持台を提供することにある。
【課題を解決するための手段】
【０００７】
本考案は、このような課題を解消するために、次のような手段を講じたものである。すなわち、本考案の表示物支持台は、一枚の紙製シート素材を折り曲げて所定の箇所で係わり合わせることにより構成される表示物支持台であって、上縁側が連接されている前後に対をなす起立板と、一方の起立板の下縁に折り罫を介して一体に設けられ前記折り罫を山折りすることにより他方の起立板側に折り返された補助底面板と、他方の起立板の下縁に折り罫を介して一体に設けられ前記折り罫を山折りすることにより前記補助底面板の下面側に重なり合うように折り返され先端に設けた差し込みパーツを前記補助底面板の基端付近に設けた差し込み孔に係わり合わせた底面板とを具備してなり、前記補助底面板及び底面板の何れか一方の中央付近に設けられた中央差し込み孔に、他方の中央付近に設けられた中央差し込みパーツを係わり合わせてなることを特徴とする。
【０００８】
ここで「上縁側が連接されている」とは、対をなす起立板が一本の折り罫を介して設けられる場合のみならず、二本以上の折り罫を介して連設している場合をも含む概念である。
【０００９】
このようなものであれば、補強底面板の先端側の浮き上がりを有効に回避することにより、糊付けによる製造工程の煩雑化を解消しつつ補助底面板による補強効果を有効に担保することができる。
【００１０】
底面板の具体的な構成としては、前後方向中央に前記起立板の下縁と平行な折り畳み用の折り罫を境にして基端側領域と先端側領域とに区成されたものとし、前記中央差し込みパーツを前記折り畳み用の折り罫に基端を合致させて前記基端側領域から切り起こしたものを挙げることができる。
【００１１】
補強底面板の先端側の浮き上がりをより有効に回避するためには、前記補助底面板が、前記底面板の先端に設けた差し込みパーツを前記補助底面板の基端付近に設けた差し込み孔に係わり合わせた状態でその先端が前記底面板と前記他方の起立板との間に形成される入隅に当接するような前後方向寸法に設定され、その前後方向中央に前記中央差し込み孔を設けてなるものであり、前記底面板が、前記差し込みパーツの基端に合致する折り畳み用の折り罫を前後方向中央よりも若干基端寄りに設けてなるものとすることが望ましい。
【００１２】
前記折り畳み用の折り罫の一例として、無理のない谷折りを可能にするためのカット部を備えているものを挙げることができる。
【００１３】
より好適に表示物を支持し得るものとするためには、一枚の紙製シート素材の紙目の方向を、前記折り罫に対し垂直となるように設定することが好ましい。
【００１４】
表示物としてカレンダー用紙を適用した場合の好適な一例として、前記一対の起立板が、その上縁部にカレンダー用紙を取り付けるための取付部を備えたものを挙げることができる。
【考案の効果】
【００１５】
以上説明したように本考案によれば、糊付けによる製造工程の煩雑化を解消しつつ補助底面板による補強効果を有効に担保し得る表示物支持台を提供することができる。
【図面の簡単な説明】
【００１６】
【図１】本考案の一実施形態に係る外観図。
【図２】同実施形態に係る他の外観図。
【図３】同実施形態に係る要部の外観図。
【図４】同実施形態に係る中央側断面図。
【図５】同実施形態に係る展開図。
【図６】同実施形態に係る組立順序を説明するための説明図。
【図７】同上。
【図８】同上。
【図９】同実施形態に係る折り畳み動作を説明するための説明図。
【図１０】同上。
【考案を実施するための形態】
【００１７】
以下、本考案の一実施形態を、図面を参照して説明する。
【００１８】
本実施形態は、本考案を卓上カレンダー１に適用した場合のものである。卓上カレンダー１は、本考案に係る表示物支持台２と、この表示物支持台２に支持させた表示物であるカレンダー用紙８とを備えたものである。
【００１９】
表示物支持台２は、一枚の紙製シート素材２０を折り曲げて所定の箇所で係わり合わせることにより構成されるものであって、上縁側が連接されている前後に対をなす起立板３、４と、一方の起立板３の下縁に折り罫を介して一体に設けられ前記折り罫を山折りすることにより他方の起立板４側に折り返された補助底面板５と、他方の起立板４の下縁に折り罫を介して一体に設けられ前記折り罫を山折りすることにより前記補助底面板５の下面側に重なり合うように折り返され先端に設けた差し込みパーツ６１を補助底面板５の基端付近に設けた差し込み孔５１に係わり合わせた底面板６とを具備してなり、前記補助底面板５中央付近に設けられた中央差し込み孔５２に、前記底面板６の中央付近に設けられた中央差し込みパーツ６２を係わり合わせてなるものである。
【００２０】
以下、表示物支持台２の各部の構成について説明する。
【００２１】
一方の起立板３及び他方の起立板４は、長方形をなす平板状のもので、一本の折り罫ｆを介して連続している。これら両起立板３、４は、その上縁部にカレンダー用紙８を取り付けるための取付部７を備えたものである。取付部７は、カレンダー用紙８を適宜めくることができるように綴じるための綴じリングｒを挿通させるべく前記両起立板３、４の上端部に複数のリング挿通孔７１を間欠的に形成したものである。
【００２２】
補助底面板５は、前記一方の起立板３の下縁に折り罫ｆを介して連続する長方形をなす平板状のもので、前記中央差し込み孔５２と、前記差し込み孔５１とを備えている。前記中央差し込み孔５２は、前記底面板６の中央差し込みパーツ６２が差し込まれるスリット状のもので、前記補助底面板５の前後方向中央に形成されている。前記差し込み孔５１は、前記底面板６の先端に設けた差し込みパーツ６１が差し込まれるスリット状のもので、前記補助底面板５における折り罫ｆのごく近傍すなわち補助底面板５の基端付近に設けられている。この補助底面板５は、前記底面板６の先端に設けた差し込みパーツ６１を補助底面板５の基端付近に設けた差し込み孔５１に係わり合わせた状態でその先端５ａが前記底面板６と前記他方の起立板４との間に形成される入隅ｃに当接するような前後方向寸法に設定されている。具体的には、補助底面板５の前後方向寸法を、前記底面板６と同一、若しくは若干寸法、例えば１ｍｍ程度長くすることにより、補助底面板５を突っ張らせる効果を出している。
【００２３】
底面板６は、前記他方の起立板４の下縁に折り罫ｆを介して連続する平板状のもので、前後方向ほぼ中央に折り畳み用の折り罫６３を備えている。詳述すれば、この折り畳み用の折り罫６３は、無理のない谷折りを可能にするためのミシン目状をなすカット部６４を備えたもので、前記底面板６の前後方向中央位置から若干寸法、例えば１ｍｍ程度基端側に偏位させて当該底面板６に形成されている。底面板６は、この折り畳み用の折り罫６３を境にして基端側領域６ａと先端側領域６ｂとに区成されている。またこの底面板６は、前記中央差し込みパーツ６２と、前記差し込みパーツ６１とを備えている。中央差し込みパーツ６２は、前記折り畳み用の折り罫６３に基端を合致させて前記基端側領域６ａから切り起こされたものである。この中央差し込みパーツ６２と底面板６の先端側領域６ｂとの間には、折り罫ｆは設けられていない。前記先端側差し込みパーツ６１は、底面板６の先端縁に折り罫ｆを介して連続するものである。
【００２４】
以上説明した表示物支持台２は、一枚の紙製シート素材２０を折り罫ｆ部分で折り返すことにより作られたものであり、図５は、折り罫ｆ部分を折り返す前の展開状態の紙製シート素材２０を示している。この一枚の紙製シート素材２０の紙目の方向は、前記折り罫ｆに対し垂直となるように設定されている。
【００２５】
次いで、この表示物支持台２の組立順序を図６、図７及び図８を参照して説明する。まず図５に示す展開状態から、前記各折り罫ｆを山折りして図６に示すようなほぼ筒状のものにするとともに、図７に示すように、底面板６の折り畳み用の折り罫６３を谷折りして中央差し込みパーツ６２を基端側領域６ａから起こす。しかる後、図８に示すように、この中央差し込みパーツ６２を補助底面板５の中央差し込み孔５２に挿入するとともに、底面板６の先端に設けられた差し込みパーツ６１を前記差し込み孔５１に挿通し、図２〜図４に示す表示物支持台２を完成させる。この状態で、前記取付部７に、綴じリングｒを介してカレンダー用紙８を取り付けることにより、卓上カレンダー１を完成させることができる。
【００２６】
このような構成のものであれば、底面板６を卓上面に載置し起立板３、４を起立させた状態で卓上カレンダー１として使用することができる。この場合、底面板６の先端側領域６ｂから一体に延びる中央差し込みパーツ６２がこの底面板６の上面に重なり合う補助底面板５の中央差し込み孔５２に挿通されているので、起立板３、４が多少外方に膨らむことがあっても補助底面板５の先端５ａ側が浮き上がるような現象を抑止することができる。そのため、相互に重なり合った底面板６と補助底面板５とによって、ベース部分を常時補強しておくことができ、安定したカレンダー用紙８の支持が可能となる。特にこの実施形態においては、組立状態において、補助底面板５の先端５ａを前記底面板６と前記他方の起立板４との間に形成される入隅ｃに押し当てて補助底面板５を突っ張らせるようにしているので、補助底面板５の浮き上がりを効果的に防止することができる。
【００２７】
紙目を折り罫ｆとは直交させているので、起立板３、４がカレンダー用紙８の重み等によって外方に膨らむような現象を特に効果的に抑制することができる。
【００２８】
また、この実施形態では、底面板６の前後方向中央にカット＆罫線とも言うべきミシン目状のカット部６４を有した折り畳み用の折り罫６３を設けているので、この折り畳み用の折り罫６３を谷折りすることにより全体を扁平に折り畳んでおくことも可能になる。この場合にはまず突っ張っている補助底面板５の先端５ａ側を積極的に底面板６から引きはがしながら前記底面板６を前記折り畳み用の折り罫６３部分で谷折りする。その結果、図９及び図１０に示すように、底面板６が谷折り状態に折り畳まれるとともに両起立板３、４が接近し、全体として扁平な折り畳み状態となる。その状態では前記補助底面板５と前記中央差し込みパーツ６２と平面的に一体化された底面板６の先端側領域６ｂは平面状態を維持したまま起立し前記両起立板３、４間に挟持されるようになる。
【００２９】
なお、前記実施形態では本考案を卓上カレンダー１に適用した場合について説明したが、本考案に係る表示物支持台２は、必ずしもこのようなものに限られない。すなわち本考案は、表示物である電話帳、住所録、席札等、種々のものを支持する表示物支持台２に適用が可能である。これらの表示物を取り付ける取付部７の構成も綴じリングｒを取り付ける態様に限らず、透明ポケット的なものを取り付ける態様等、種々変形が可能である。
【００３０】
また、前記実施形態においては、底面板６と補助底面板５とを単一の中央差し込みパーツ６２により結合した場合について説明したが、中央差し込みパーツ６２は複数設けてもよい。例えば起立板がＡ４パノラマサイズに対応する寸法のものである場合、中央差し込みパーツ６２を２つに或いはそれ以上備えたものにしてもよい。この場合には、底面板６の先端に設けられる差し込みパーツ６１の数もそれに対応させて増加させるのが望ましい。
【００３１】
さらに、前記実施形態においては底面板６の前後方向中央にカット＆罫線というべき折り畳み用の折り罫６３を設けた場合について説明したが、本考案は必ずしもこのようなものに限られず、通常の構造の折り罫ｆを設けただけのものであってもよい。しかしながら、前記実施形態のような構成にしておけば、折り罫部分の破断を招くことなく表示物支持台２全体を無理なく平面的に折り畳むことが可能になる。
【符号の説明】
【００３２】
２…表示物支持台
２０…紙製シート素材
３…一方の起立板
４…他方の起立板
５…補助底面板
５ａ…先端
５１…差し込み孔
５２…中央差し込み孔
６…底面板
６ａ…基端側領域
６ｂ…先端側領域
６１…差し込みパーツ
６２…中央差し込みパーツ
６３…折り畳み用の折り罫
６４…カット部
７…取付部
７１…リング挿通孔
８…カレンダー用紙
ｃ…入隅
ｆ…折り罫
ｒ…綴じリング
【図１】
0003178245.tif 000003
【図２】
0003178245.tif 000004
【図３】
0003178245.tif 000005
【図４】
0003178245.tif 000006
【図５】
0003178245.tif 000007
【図６】
0003178245.tif 000008
【図７】
0003178245.tif 000009
【図８】
0003178245.tif 000010
【図９】
0003178245.tif 000011
【図１０】
0003178245.tif 000012